(57)【要約】      （修正有）【課題】コンパクトでかつシンプルな構造を有し、被搬送物、特に縦長の重量物を搬送車両や搬送台車のフォークに強固に固定した状態で、搬送することを可能にするフォーク用アタッチメント及びこれを備えた固定装置を提供する。【解決手段】フォーク用アタッチメント２ａ〜２ｄは、フォーク１１ａ、１１ｂに装着されるもので、両端部が開口する直方体又は立方体形状の箱状体からなるアタッチメント主体と、前記アタッチメント主体の上面の左右両端から上方に向けて立設される一対の側面部と、前記一対の側面部の間の前面を覆うよう前記アタッチメント主体の前記開口部２１１ａ〜２１１ｄの前端から上方に立設される支持部２１４ａ〜２１４ｄで構成される。【選択図】図２
2019069837.tif 000002
【特許請求の範囲】
【請求項１】
フォークに装着されるフォーク用アタッチメントであって、
両端部が開口する直方体又は立方体形状の箱状体からなるアタッチメント主体と、
前記アタッチメント主体の上面の左右両端から上方に向けて立設される一対の側面部と、
前記一対の側面部の間の前面を覆うよう前記アタッチメント主体の前記開口の前端から上方に立設される支持部で構成されていること
を特徴とするフォーク用アタッチメント。
【請求項２】
前記一対の側面部は、
いずれも、その上端が前記支持部に向かうほど高くなるように傾斜した側面視三角形又は台形状の板状体からなること
を特徴とする請求項１に記載のフォーク用アタッチメント。
【請求項３】
前記一対の側面部は、
いずれも、左右方向に貫通するよう形成された貫通孔を有すること
を特徴とする請求項１又は２に記載のフォーク用アタッチメント。
【請求項４】
左右一対のフォーク上に載置された被搬送物を、前記フォークに固定するためのフォーク用の被搬送物の固定装置であって、
前記左右一対のフォークのそれぞれの基端側に、前記支持部の前面が先端側に向くよう装着される請求項１〜３のいずれかに記載のフォーク用アタッチメントと、
前記左右一対のフォークのそれぞれの先端側に、前記支持部の前面が基端側に向くよう装着される請求項１〜３のいずれかに記載のフォーク用アタッチメントと、
前記被搬送物の上面に当接した状態で、一端側が前記基端側に装着されるフォーク用アタッチメントに連結される一方で、他端側が前記先端側に装着されるフォーク用アタッチメントに連結される拘束手段で構成され、
前記被搬送物を、前記基端側に装着される一対のフォーク用アタッチメントと、前記先端側に装着される一対のフォーク用アタッチメントとにより挟持された状態で、その上面が、前記拘束手段によって前記フォークに対して押圧されるように固定すること
を特徴とするフォーク用の被搬送物の固定装置。
【請求項５】
前記被搬送物は、
縦長の重量物であること
を特徴とする請求項４に記載のフォーク用の被搬送物の固定装置。
【請求項６】
被搬送物をフォークに固定する被搬送物の固定方法であって、
前記フォークの先端側に装着された請求項１〜３のいずれかに記載のフォーク用アタッチメントの支持部と、前記フォークの基端側に装着された請求項１〜３のいずれかに記載のフォーク用アタッチメントの支持部とにより、前記フォーク上に載置した被搬送物を挟持するとともに、
前記被搬送物の上面と当接するよう、一端側が前記フォークの先端側に装着されたフォーク用アタッチメントに連結される一方で、他端側が前記フォークの基端側に装着されたフォーク用アタッチメントに連結される拘束手段によって、前記被搬送物の上面を押圧すること
を特徴とする被搬送物の固定方法。
【請求項７】
被搬送物をフォークに固定する被搬送物の固定方法であって、
前記フォークの先端側に装着された請求項１〜３のいずれかに記載のフォーク用アタッチメントの支持部と、前記フォークの基端部とにより、前記フォーク上に載置した被搬送物を挟持するとともに、
前記被搬送物の上面と当接するよう、一端側が前記フォーク用アタッチメントに連結される一方で、他端側がフォークリフトのマストに連結される拘束手段によって、前記被搬送物の上面を押圧すること
を特徴とする被搬送物の固定方法。
【発明の詳細な説明】
【技術分野】
【０００１】
この発明は、フォーク用のアタッチメントに関するものである。
より具体的には、被搬送物、特に縦長の重量物をフォークリフトなどのフォークに固定するために、フォークに装着されるフォーク用アタッチメント、及びこれを備えた固定装置に関するものである。
【背景技術】
【０００２】
フォークリフトなどのフォークを備える搬送車両ないし搬送台車には、荷物の形態や作業内容に応じてさまざまな種類のアタッチメントが取り付けられるようになっている。
【０００３】
フォーク用のアタッチメントの一例が、特許文献１及び２に開示されている。
【０００４】
例えば、特開２０１４−０６１９９０号公報（特許文献１）においては、コンテナ内への搬入作業中に、長尺物が上下左右に振れるのを防止することができ、この長尺物を効率良くかつ安全にコンテナ内に搬入することができるフォークリフト用アタッチメントが提案されている。
【０００５】
このフォークリフト用アタッチメントは、搬送する複数の長尺物（Ｍ）を並列して載置する底面板（１０）と、
前記長尺物（Ｍ）の後端が当接する背面板（２０）と、
前記底面板（１０）の左右端部から上向きに起立して設けられる側面板（３０）と、
前記底面板（１０）の先端よりも前記背面板（２０）に近い側に、左右の前記側面板（３０、３０）に跨って設けられる押さえ部材（４０）と、
を備えたものである。
【０００６】
さらに、特開２０１４−０６１９９０号公報（特許文献２）においては、フォークリフトで荷崩れし易いモノを重ねて運搬する場合に、該運搬物を直接固定することなく運搬できるフォークリフトの荷崩れ防止装置が提案されている。
【０００７】
この荷崩れ防止装置は、前方に延設させたフォークがマストによって上下するよう構成された荷受部を車体に備えたフォークリフトに装着されるもので、
一対のフォーク爪部の基部に装着する柱状の脱着可能な固定柱、
フォーク爪部の先端部に装着する柱状の脱着可能な押さえ柱、
該固定柱と押さえ柱との間隔を保持するための梁板からなり、
固定柱と押さえ柱の爪部装着部を箱状となし、運搬物を固定せずに運ぶものである。
【先行技術文献】
【特許文献】
【０００８】
【特許文献１】特開２０１６−２１６１５０号公報（特許請求の範囲，図３，図７）
【特許文献２】特開２０１４−０６１９９０号公報（特許請求の範囲，図１，図２）
【発明の概要】
【発明が解決しようとする課題】
【０００９】
しかしながら、縦長の大型重量物は、その高さが２００ｃｍ以上、重量が２００ｋｇ以上になるもので、非常に重く、その重心位置は、重量物毎に異なるものであるため、フォークリフトによる搬送時にバランスを崩し、転倒するおそれがあり、その搬送作業は、非常に危険を伴うものであった。
【００１０】
前記特許文献１に記載されたフォークリフト用アタッチメントは、長尺物の搬送に適したもので、前記特許文献２に記載されたフォークリフトの荷崩れ防止装置は、比較的小型の運搬物の搬送に適したものであり、いずれも、縦長の大型重量物の搬送には不向きである。
【００１１】
この発明はかかる現状に鑑み、コンパクトでかつシンプルな構造を有し、被搬送物、特に縦長の重量物を搬送車両や搬送台車のフォークに強固に固定した状態で、搬送することを可能にするフォーク用アタッチメント及びこれを備えた固定装置を提供せんとするものである。
【課題を解決するための手段】
【００１２】
この発明の請求項１に記載の発明は、
フォークに装着されるフォーク用アタッチメントであって、
両端部が開口する直方体又は立方体形状の箱状体からなるアタッチメント主体と、
前記アタッチメント主体の上面の左右両端から上方に向けて立設される一対の側面部と、
前記一対の側面部の間の前面を覆うよう前記アタッチメント主体の前記開口の前端から上方に立設される支持部で構成されていること
を特徴とするフォーク用アタッチメントである。
【００１３】
この発明の請求項２に記載の発明は、
請求項１に記載のフォーク用アタッチメントにおいて、
前記一対の側面部は、
いずれも、その上端が前記支持部に向かうほど高くなるように傾斜した側面視三角形又は台形状の板状体からなること
を特徴とするものである。
【００１４】
この発明の請求項３に記載の発明は、
請求項１又は２に記載のフォーク用アタッチメントにおいて、
前記一対の側面部は、
いずれも、左右方向に貫通するよう形成された貫通孔を有すること
を特徴とするものである。
【００１５】
この発明の請求項４に記載の発明は、
左右一対のフォーク上に載置された被搬送物を、前記フォークに固定するためのフォーク用の被搬送物の固定装置であって、
前記左右一対のフォークのそれぞれの基端側に、前記支持部の前面が先端側に向くよう装着される請求項１〜３のいずれかに記載のフォーク用アタッチメントと、
前記左右一対のフォークのそれぞれの先端側に、前記支持部の前面が基端側に向くよう装着される請求項１〜３のいずれかに記載のフォーク用アタッチメントと、
前記被搬送物の上面に当接した状態で、一端側が前記基端側に装着されるフォーク用アタッチメントに連結される一方で、他端側が前記先端側に装着されるフォーク用アタッチメントに連結される拘束手段で構成され、
前記被搬送物を、前記基端側に装着される一対のフォーク用アタッチメントと、前記先端側に装着される一対のフォーク用アタッチメントとにより挟持された状態で、その上面が、前記拘束手段によって前記フォークに対して押圧されるように固定すること
を特徴とするフォーク用の被搬送物の固定装置である。
【００１６】
この発明の請求項５に記載の発明は、
請求項４に記載のフォーク用の被搬送物の固定装置において、
前記被搬送物は、
縦長の重量物であること
を特徴とするものである。
【００１７】
この発明の請求項６に記載の発明は、
被搬送物をフォークに固定する被搬送物の固定方法であって、
前記フォークの先端側に装着された請求項１〜３のいずれかに記載のフォーク用アタッチメントの支持部と、前記フォークの基端側に装着された請求項１〜３のいずれかに記載のフォーク用アタッチメントの支持部とにより、前記フォーク上に載置した被搬送物を挟持するとともに、
前記被搬送物の上面と当接するよう、一端側が前記フォークの先端側に装着されたフォーク用アタッチメントに連結される一方で、他端側が前記フォークの基端側に装着されたフォーク用アタッチメントに連結される拘束手段によって、前記被搬送物の上面を押圧すること
を特徴とする被搬送物の固定方法である。
【００１８】
この発明の請求項７に記載の発明は、
被搬送物をフォークに固定する被搬送物の固定方法であって、
前記フォークの先端側に装着された請求項１〜３のいずれかに記載のフォーク用アタッチメントの支持部と、前記フォークの基端部とにより、前記フォーク上に載置した被搬送物を挟持するとともに、
前記被搬送物の上面と当接するよう、一端側が前記フォーク用アタッチメントに連結される一方で、他端側がフォークリフトのマストに連結される拘束手段によって、前記被搬送物の上面を押圧すること
を特徴とする被搬送物の固定方法である。
【発明の効果】
【００１９】
この発明にかかるフォーク用アタッチメントは、フォークに装着されるもので、両端部が開口する直方体又は立方体形状の箱状体からなるアタッチメント主体と、前記アタッチメント主体の上面の左右両端から上方に向けて立設される一対の側面部と、前記一対の側面部の間の前面を覆うよう前記アタッチメント主体の前記開口の前端から上方に立設される支持部で構成されているものである。
したがって、コンパクトでかつシンプルな構造を有し、前記被搬送物をフォークに対して強固に固定するアタッチメントとして利用可能なものである。
【００２０】
なお、前記フォーク用アタッチメントにおいて、前記一対の側面部を、その上端が前記支持部に向かうほど高くなるように傾斜した側面視三角形又は台形状の板状体で構成することができる。
このような構成によって、前記支持部を、前記一対の側面部と前記アタッチメント主体で支持することができるので、被搬送物として大型重量物を選択する場合においても、前記フォーク用アタッチメントを適用することができる。
【００２１】
この発明にかかるフォーク用の被搬送物の固定装置は、左右一対のフォーク上に載置された被搬送物を、前記フォークに固定するためのもので、前記左右一対のフォークのそれぞれの基端側に、前記支持部の前面が先端側に向くよう装着される前記フォーク用アタッチメントと、前記左右一対のフォークのそれぞれの先端側に、前記支持部の前面が基端側に向くよう装着される前記フォーク用アタッチメントと、前記被搬送物の上面に当接した状態で、一端側が前記基端側に装着されるフォーク用アタッチメントに連結される一方で、他端側が前記先端側に装着されるフォーク用アタッチメントに連結される拘束手段で構成され、前記被搬送物を、前記基端側に装着される一対のフォーク用アタッチメントと、前記先端側に装着される一対のフォーク用アタッチメントとにより挟持された状態で、その上面が、前記拘束手段によって前記フォークに対して押圧されるように固定するよう構成されている。
したがって、この固定装置によれば、被搬送物は、前記基端側に装着されるフォーク用アタッチメントと、前記先端側に装着されるフォーク用アタッチメントとにより挟持された状態で、その上面が、前記拘束手段によって前記フォークに対して押圧されるので、前後方向と上下方向に動かないよう前記フォークに拘束される。
よって、この固定装置は、被搬送物をフォークに対して強固に固定し、その搬送を安全に行うことを可能とするものである。
【００２２】
前記フォーク用の被搬送物の固定装置は、大型重量物などの各種の被搬送物の、フォークへの固定に適用することができ、特に縦長の大型重量物の固定に適用することができるものである。
【００２３】
この発明の被搬送物の固定方法は、被搬送物をフォークに固定するもので、前記フォークの先端側に装着された前記フォーク用アタッチメントの支持部と、前記フォークの基端側に装着された前記フォーク用アタッチメントの支持部又は前記フォークの基端部とにより、前記フォーク上に載置した被搬送物を挟持するとともに、前記被搬送物の上面と当接するよう、一端側が前記フォークの先端側に装着されたフォーク用アタッチメントに連結される一方で、他端側が前記フォークの基端側に装着されたフォーク用アタッチメント又はフォークリフトのマストに連結される拘束手段によって前記被搬送物の上面を押圧するよう構成されている。
かかる構成の固定装置によれば、被搬送物は、前記先端側に装着されるフォーク用アタッチメントと、前記基端側に装着されるフォーク用アタッチメント又は前記フォークの基端部とにより挟持された状態で、その上面が、前記拘束手段によって前記フォークに対して押圧されるので、前後方向と上下方向に動かないよう前記フォークに対して強固に固定される。
【図面の簡単な説明】
【００２４】
【図１】この発明にかかるフォーク用アタッチメントをフォークに取り付けた状態のフォークリフトの一例を示す説明図である。
【図２】この発明にかかるフォーク用の被搬送物の固定装置による被搬送物の固定方法の一例を示す説明図である。
【図３】この発明にかかるフォーク用アタッチメントを示す正面図である。
【図４】この発明にかかるフォーク用アタッチメントを示す背面図である。
【図５】この発明にかかるフォーク用アタッチメントの要部拡大図である。
【図６】この発明にかかるフォーク用アタッチメントをフォークに取り付けた状態のフォークリフトの他の例を示す説明図である。
【発明を実施するための形態】
【００２５】
以下、この発明にかかるフォーク用の被搬送物の固定装置（以下、「固定装置」という。）と、これを構成するフォーク用アタッチメント（以下、「アタッチメント」という。）の実施の一例を、添付の図面に基づいて具体的に説明する。
なお、この発明は開示された実施例にのみ限定されるものではなく、その要旨を変更しない範囲内において種々改良することができるものである。
【００２６】
この発明にかかる固定装置１は、図１に示すように、フォークリフト１０などの搬送車両や搬送台車が備える左右一対のフォーク１１ａ，１１ｂに被搬送物５を固定するものである。
【００２７】
前記固定装置１は、図１及び２に示すように、前記フォーク１１ａ，１１ｂのそれぞれの基端側に装着される一対のアタッチメント２ａ，２ｂと、前記基端側に装着される一対のアタッチメント２ａ，２ｂに対向して前記フォーク１１ａ，１１ｂのそれぞれの先端側に装着される一対のアタッチメント２ｃ，２ｄと、一端側が前記基端側に装着されるアタッチメント２ａ，２ｂに連結される一方で他端側が前記先端側に装着されるアタッチメント２ｃ，２ｄに連結される一対の拘束手段３ａ，３ｂと、から構成されている。
【００２８】
前記固定装置１を構成するアタッチメント２ａ，２ｂ，２ｃ，２ｄは、いずれも、図３及び４に示されているアタッチメント２と同じ構成を有するものである。
【００２９】
図３及び４において、アタッチメント２は、両端部が開口する直方体又は立方体形状の箱状体からなるアタッチメント主体２１と、前記アタッチメント主体の上面の左右両端縁から上方に延設される一対の側面部２１２，２１３と、前記一対の側面部２１２，２１３の間の前面を覆うよう前記アタッチメント主体２１の前端開口２１１の上縁から上方に立設される支持部２１４で構成されている。
【００３０】
前記アタッチメント主体２１は、両端部が開口する箱状体からなるもので、図５に示すように、開口部２１１を挿入口として、その両端のいずれからもフォーク１１ａ（又は１１ｂ）を挿入することが可能となるように構成されている。
【００３１】
なお、この実施例において、前記アタッチメント主体２１の上面には、前記開口部２１１と連通するよう所要の大きさの挿通孔２１６が形成されている。
したがって、図５に示すように、前記挿通孔２１６にボルトなどの固定具４を挿通させることによって、前記フォーク用アタッチメント２を、前記開口部２１１内に挿入された前記フォーク１１ａ（又は１１ｂ）に、前記挿通孔２１６を介して挿通された前記固定具４を利用して、固定することができる。
【００３２】
図３及び４において、前記側面部２１２，２１３は、その上端が支持部２１４に向かうほど高くなるように傾斜した所要の厚さを有する側面視三角形又は台形状の板状体からなるもので、その前方側の端部で前記支持部２１４を支持する。
したがって、前記支持部２１４と前記アタッチメント主体２１との固定強度は、きわめて高いので、前記支持部２１４は、被搬送物として重量が高いものを支持する場合であっても、その重量に十分に耐えることができる。
【００３３】
前記側面部２１２，２１３のそれぞれには、図３及び４に示すように、その所定の位置において、左右方向に貫通する貫通孔２１５，２１５が形成されている。
したがって、前記側面部２１２，２１３の貫通孔２１５，２１５の少なくとも一方に形成されたものを利用して、前記拘束手段３ａ，３ｂとの連結が可能となっている。
【００３４】
前記支持部２１４は、その前面で被搬送物５を支持するためのもので、所要の厚さと大きさを有する矩形の板状体で構成されている。
【００３５】
前記支持部２１４は、図３及び４に示すように、前記一対の側面部２１２，２１３の間の前面を覆うのに十分な幅を有するので、前記一対の側面部２１２，２１３の前板を構成し、前記一対の側面部２１２，２１３によって支持される。
したがって、前記支持部２１４によって、被搬送物５としての重量物を支持することが可能となる。
なお、前記支持部２１４の高さについては、特段の制限はないが、例えば、前記アタッチメント主体２１に取り付けた状態で、前記開口部２１１上縁の下端から前記支持部２１４の上端までの高さが、被搬送物の高さの４分の１以上になるようにすることができる。
【００３６】
この実施例において、前記支持部２１４の前面には、被搬送物５と当接したときに、被搬送物５が左右方向にズレたり、被搬送物５が傷ついたりすることが防止されるよう、ゴムなどの緩衝部材（図示せず）が配されている。
【００３７】
なお、図３及び４において、前記支持部２１４は前記アタッチメント主体２１の前端開口２１１上縁に設けられているが、前記支持部２１４は、その前面で被搬送物５を支持することができ、かつ前記アタッチメント主体２１の両端部が開口する限り、前記アタッチメント主体２１の開口２１１の前端の任意の位置に設けることができる。
したがって、例えば、前記支持部２１４を、その下部に開口部２１１と対応する開口を形成し、開口部２１１の前方側の周縁に対して、前記支持部２１４の開口が前記アタッチメント主体２１の開口部２１１と重なるように取り付けてもよい。
【００３８】
かかる構成のアタッチメント２は、図２に示すように、前記フォーク１１ａ，１１ｂの基端側に装着させる場合には、前記支持部２１４の前面（被搬送物５と当接する側）が前記フォーク１１ａ，１１ｂの先端側に向くようにする（アタッチメント２ａ，２ｂ）一方、前記フォーク１１ａ，１１ｂの先端側に装着させる場合には、前記支持部２１４の前面が前記フォーク１１ａ，１１ｂの基端側に向くようにして（アタッチメント２ｃ，２ｄ）使用される。
このような構成によって、前記フォーク１１ａ，１１ｂの基端側に装着されたアタッチメント２ａ，２ｂと、前記フォーク１１ａ，１１ｂの先端側に装着されたアタッチメント２ｃ，２ｄは、互いの支持部の前面が対向するようになるので、被搬送物５を挟持・固定して、前後方向に動かないよう拘束することが可能となる。
【００３９】
前記拘束手段３ａ，３ｂは、被搬送物５の上面に当接した状態で、一端側が前記基端側のアタッチメント２ａ，２ｂに連結される一方で、他端側が前記先端側のアタッチメント２ｃ，２ｄに連結されるもので、前記被搬送物５の上面を前記フォーク１１ａ，１１ｂに向かって押圧することによって、前記被搬送物５を前記フォーク１１ａ，１１ｂに拘束し、前記被搬送物５が上下方向に動かない状態にすることを可能にするものである。
【００４０】
なお、前記拘束手段としては、被搬送物５の上面に当接した状態で、一端側が前記基端側のアタッチメント２ａ，２ｂに、他端側が前記先端側のアタッチメント２ｃ，２ｄに、それぞれ連結可能なものであれば、使用する数や形態などに特段の制限はない。
前記拘束手段として、例えば、ラッシングベルトなどのベルト状又は紐状のものを１又は２以上組み合わせて使用することができる。
また、前記拘束手段は、その両端部にフックなどの連結具を備えたものであってもよい。
【００４１】
この実施例において、前記拘束手段３ａ（又は３ｂ）は、いずれもラッシングベルトで構成され、前記被搬送物５の上面に当接した状態で、その一端側が、フックとシャックル（図示せず）で構成される係止具を介してフォーク１１ａ（又は１１ｂ）の基端側に装着されたアタッチメント２ａ（又は２ｂ）の外側の側面部２１２ａの貫通孔２１５ａ（又は側面部２１３ｂの貫通孔２１５ｂ）に、他端側が、フックとシャックル（図示せず）で構成される係止具を介してフォーク１１ａ（又は１１ｂ）の先端側に装着されたアタッチメント２ｃ（又は２ｄ）の外側の側面部２１３ｃの貫通孔２１５ｃ（又は側面部２１２ｄの貫通孔２１５ｄ）に、それぞれ連結されている。
したがって、前記拘束手段３ａ，３ｂを、必要に応じて巻取手段などを利用して、緊張状態にすれば、被搬送物５の上面は、フォーク１１ａ，１１ｂに向かって押圧されることになる。
【００４２】
かかる構成の固定装置１により、前記被搬送物５は、前記基端側に装着される一対のアタッチメント２ａ，２ｂと、前記先端側に装着される一対のアタッチメント２ｃ，２ｄとにより挟持された状態で、その上面が、前記拘束手段３ａ，３ｂによって前記フォーク１１ａ，１１ｂに対して押圧されるので、前記被搬送物５は、前後方向と上下方向に動かないよう拘束され、前記フォーク１１ａ，１１ｂに対して強固に固定される。
【００４３】
かかる構成からなる固定装置１によって、被搬送物５のフォーク１１ａ，１１ｂへの固定を、以下のようにして行うことができる。
【００４４】
図２に示すように、フォークリフト１０の左右一対のフォーク１１ａ，１１ｂを、アタッチメント２ａ，２ｂの各開口部（挿入口）２１１ａ，２１１ｂに、その背面側から挿入して、アタッチメント２ａ，２ｂを、その支持部２１４ａ，２１４ｂの前面がフォーク１１ａ，１１ｂの先端側に向くよう、フォーク１１ａ，１１ｂの基端側に装着させ、固定具４で固定する。
【００４５】
ついで、被搬送物５を、アタッチメント２ａ，２ｂの支持部２１４ａ，２１４ｂに当接するように、フォーク１１ａ，１１ｂ上に載置する。
【００４６】
さらに、アタッチメント２ｃ，２ｄの各開口部（挿入口）２１１ｃ，２１１ｄに、その正面（前面）側からフォーク１１ａ，１１ｂを挿入して、アタッチメント２ｃ，２ｄを、被搬送物５がアタッチメント２ａ，２ｂとアタッチメント２ｃ，２ｄとにより所定圧で挟持した状態になるよう、その支持部２１４ｃ，２１４ｄの前面がフォーク１１ａ，１１ｂの基端側に向くようにして、フォーク１１ａ，１１ｂの先端側に装着させ、固定具４で固定する。
【００４７】
拘束手段３ａ，３ｂを、被搬送物５の上面に当接した状態で、その一端側が、フックとシャックルで構成される係止具を介して基端側のアタッチメント２ａ，２ｂの外側にある側面部の貫通孔２１５に、他端側が、フックとシャックルで構成される係止具を介して先端側のアタッチメント２ｃ，２ｄの外側にある側面部の貫通孔２１５に、それぞれ連結されるよう取り付ける。
【００４８】
さらに、拘束手段３ａ，３ｂの長手方向の長さ調整を行って、拘束手段３ａ，３ｂに所定の張力を付与する。
これにより、前記被搬送物５は、前記基端側に装着されるアタッチメント２ａ，２ｂと、前記先端側に装着されるアタッチメント２ｃ，２ｄとにより挟持された状態で、その上面が、前記拘束手段３ａ，３ｂによって前記フォーク１１ａ，１１ｂに対して押圧されるので、前後方向と上下方向に動かないよう前記フォーク１１ａ，１１ｂに拘束される。
なお、長さ調整については、巻取手段によって巻取るなどの公知の方法を利用して行ってもよい。
【００４９】
さらにまた、他の実施例として、被搬送物を、フォークリフトのフォークとマストを利用して、フォークに固定する構成としてもよい。
【００５０】
図６において、固定装置１０１は、前記固定装置１と基本的に同様の構成を有するものであるが、被搬送物１０５は、フォークリフト１１０の左右一対のフォーク１１１ａ，１１１ｂの基端部１１１ｃに当接するように載置される。
【００５１】
アタッチメント２と同様の構成を有するアタッチメント１０２ｃ，１０２ｄを、フォーク１１１ａ，１１１ｂとともに被搬送物１０５を挟持するように、その支持部の前面がフォーク１１１ａ，１１１ｂの基端側に向くようにして、フォーク１１１ａ，１１１ｂを、アタッチメント１０２ｃ，１０２ｄの各開口部の正面側から挿入し、フォーク１１１ａ，１１１ｂの先端側に装着させ、固定具１０４で固定する。
【００５２】
拘束手段１０３ａ，１０３ｂを、被搬送物１０５の上面に当接した状態で、その一端側が、フックとシャックルで構成される係止具を介してフォークリフト１１０のマスト１１１ｃに、他端側が、フックとシャックルで構成される係止具を介して先端側のアタッチメント１０２ｃ，１０２ｄに、それぞれ連結されるよう取り付ける。
【００５３】
さらに、拘束手段１０３ａ，１０３ｂの長手方向の長さ調整を行って、拘束手段１０３ａ，１０３ｂに所定の張力を付与する。
これにより、前記被搬送物１０５は、前記フォーク１１１ａ，１１１ｂの基端部１１１ｃと、前記先端側に装着されるアタッチメント１０２ｃ，１０２ｄとにより挟持された状態で、その上面が、前記拘束手段１０３ａ，１０３ｂによって前記フォーク１１１ａ，１１１ｂに対して押圧されるので、前後方向と上下方向に動かないよう前記フォーク１１１ａ，１１１ｂに拘束される。
【００５４】
なお、この発明の固定装置及び固定方法は、被搬送物（搬送対象物）のフォークリフトなどのフォークを備える搬送車両や搬送台車等による搬送に際して、そのフォークに対して強固に被搬送物の固定を行うことを可能にするもので、前記被搬送物の重量や、形状、大きさ等によらず、前記被搬送物をフォークに強固に固定することができる。
したがって、この発明の固定装置及び固定方法において、前記被搬送物については、特段の制限はなく、大型の重量物を含む各種の被搬送物、とりわけ配電盤のような縦長で低重心の大型重量物に好適である。
【産業上の利用可能性】
【００５５】
この発明の固定装置及び固定方法は、被搬送物として縦長で低重心の大型重量物を搬送する場合であっても、被搬送物を、搬送車両などが備えるフォークに強固に固定するよう構成されたものであるので、各種の被搬送物、特に縦長で低重心の大型重量物の、フォークを備える搬送車両などによる搬送に利用することができる。
【符号の説明】
【００５６】
１，１０１                                      固定装置
２，２ａ，２ｂ，２ｃ，２ｄ，１０２ｃ，１０２ｄ  アタッチメント
２１，２１ａ，２１ｂ，２１ｃ，２１ｄ            アタッチメント主体
２１１，２１１ａ，２１１ｂ，２１１ｃ，２１１ｄ  開口部
２１２，２１２ａ，２１２ｂ，２１２ｃ，２１２ｄ  側面部
２１３，２１３ａ，２１３ｂ，２１３ｃ，２１３ｄ  側面部
２１４，２１４ａ，２１４ｂ，２１４ｃ，２１４ｄ  支持部
２１５，２１５ａ，２１５ｂ，２１５ｃ，２１５ｄ  貫通孔
２１６，２１６ａ，２１６ｂ，２１６ｃ，２１６ｄ  挿通孔
３ａ，３ｂ，１０３ａ，１０３ｂ                  拘束手段
４，１０４                                      固定具
５，１０５                                      被搬送物
１０，１１０                                    フォークリフト
１１ａ，１１ｂ，１１１ａ，１１１ｂ              フォーク
１１１ｃ                                        フォーク基端部
１１１ｄ                                        マスト
【図１】
2019069837.tif 000003
【図２】
2019069837.tif 000004
【図３】
2019069837.tif 000005
【図４】
2019069837.tif 000006
【図５】
2019069837.tif 000007
【図６】
2019069837.tif 000008